(57)【要約】      （修正有）【課題】使用者が任意の方式で飲料を飲用することができ、構造が簡単で、使用が便利な熱冷飲料用容器を提供する。【解決手段】熱冷飲料用容器は、内容器と外容器からなり、内容器は外容器内部に設置することができる。よって、内容器の容器体外部と外容器の間は容室を有して、水や好みの物質（お茶、酒、果汁、ゼリー、氷等）を入れることができ、凍らせて結氷層にし、使用者が飲料を内容器内部に倒入して、味が薄まらないように冷飲料を飲むことが出来、また、内容器と外容器は分離でき、結氷層は容器体形状の空間を形成し、使用者は飲料を容器体形状の結氷層に倒入して、結氷層と混合させた冷飲料を飲用することができる。【選択図】図２
0003150760.tif 000002
【実用新案登録請求の範囲】
【請求項１】
熱冷飲料用容器であって、内容器と外容器とからなり、前記内容器は唇蓋辺を有し、且つ、適当な位置に容器体を有し、前記外容器は辺体を有し、前記内容器の唇蓋辺を組設すると共に、前記内容器を容置し、前記内容器は前記外容器内部に配置し、前記容器体外部と前記外容器の内面間は容室空間を有し、これにより、前記内容器の唇蓋辺と前記外容器辺体の組設、脱離、或いは、前記内容器と前記外容器間の容室空間は、前記内容器と前記外容器の形状、大きさによって決まることを特徴とする熱冷飲料用容器。
【請求項２】
熱冷飲料用容器であって、内容器と外容器とからなり、前記内容器と前記外容器は相互に組設でき、前記内容器と前記外容器の内面間は容室空間を有して、水を充填し、凍らせて結氷層とし、使用者は飲料を前記内容器に倒入して、氷で味が薄まらない冷飲料を飲用することができ、また、前記内容器と前記外容器は分離し、前記結氷層は一形状空間を有し、使用者は飲料を前記結氷層に倒入して、結氷層が参合した冷飲料を飲用することができ、よって、前記内容器と前記外容器の組設と脱離、及び、前記容室空間は、前記内容器と前記外容器の形状、大小によって決まることを特徴とする熱冷飲料用容器。
【請求項３】
前記内容器と前記外容器は螺紋段の螺旋設計により、前記内容器と前記外容器を相互に組接、脱離することができることを特徴とする請求項１に記載の熱冷飲料用容器。
【請求項４】
前記外容器の内面の適当な位置に複数の環螺紋、或いは、各種凹凸状、或いは、数段の鋸歯段を設置し、且つ、頂面環辺に傾斜面を有し、前記内容器の唇蓋辺は丁度、前記外容器の傾斜面上に抵接し、前記内容器と前記外容器が相互に組接、或いは、脱離することができることを特徴とする請求項１に記載の熱冷飲料用容器。
【請求項５】
前記内容器の唇蓋辺は環側辺を垂直延伸し、前記環側辺の内面は一つ、或いは、それ以上の凸塊を設置するか、或いは、前記環側辺に外向けに一つ、或いは、それ以上の適当な長さの中空引体を凸設し、これにより、前記内容器と前記外容器を組接、脱離することができることを特徴とする請求項１に記載の熱冷飲料用容器。
【請求項６】
前記内容器の形状はＶ字型で、且つ、前記外容器の内面の適当な位置に、内向けに凸設した停止環辺を有し、これにより、前記内容器と前記外容器が組接する時、前記内容器の容器体外部の適当な位置はそれぞれ、前記外容器の停止環辺、及び、頂部環面により抵止されることを特徴とする請求項１に記載の熱冷飲料用容器。
【請求項７】
前記内容器の唇蓋辺は環側辺を垂直延伸し、且つ、前記環側辺底部は環円凸塊、或いは、数個の滑円凸塊を凸設し、且つ、前記外容器頂部環面は傾斜状で、前記内容器の滑円凸塊は、前記外容器の傾斜状の環面の適当な位置に抵止し、これにより、前記内容器と前記外容器の組接、脱離が可能であることを特徴とする請求項１に記載の熱冷飲料用容器。
【請求項８】
前記内容器の唇蓋辺は環側辺を垂直延伸し、且つ、前記環側辺内面は一環凸塊、或いは、数個の円凸塊を凸設し、前記外容器外部も環凸体を設置し、前記内容器の環凸塊、或いは、複数の円凸塊は前記外容器の環凸塊上方の適当な位置に抵止し、これにより、前記内容器と前記外容器が相互に組接、脱離することができることを特徴とする請求項１に記載の熱冷飲料用容器。
【請求項９】
前記内容器は長い唇蓋辺と短い唇蓋辺を有し、前記長い唇蓋辺が前記外容器の壷嘴環面に抵接し、前記短い唇蓋辺は前記外容器の短環面に抵接することを特徴とする請求項１に記載の熱冷飲料用容器。
【請求項１０】
前記内容器は底部の環辺に外螺段を環設し、前記外容器内面は容置体を有して飲料を倒入し、前記容置体上方周辺に外環体を垂直延伸し、前記外環体底部の内面は螺段を有し、前記螺段と前記内容器の外螺段が係合し、これにより、前記内容器と前記外容器が相互に組設、脱離することを特徴とする請求項２に記載の熱冷飲料用容器。
【考案の詳細な説明】
【技術分野】
【０００１】
本考案は、熱冷飲料用容器に関するものであって、特に、内容器と外容器間の容室に、水や好みの飲料（お茶、酒、果汁、ゼリー、氷等）を入れ、冷凍後、使用者の好みで、飲料を内容器に倒置して氷を隔てて冷却飲用したり、内容器を結氷層から脱離させて、飲料を直接結氷層中に入れて飲用することができ、また、内容器と外容器間の容室にお湯を加えて、内容器中の飲料を保温することもでき、構造が簡単で、使用が便利、且つ、任意の飲用方式が可能な熱冷飲料用容器に関するものである。
【背景技術】
【０００２】
熱冷飲料用容器の公知技術は、例えば、中華民国（台湾）の特許公告第２８８３０６号の「冷カップの改良構造」と第３６９８７５号の「保冷カップの改良構造」考案などがあり、快速に氷冷する目的を達成している。しかし、保冷媒質は液体の冷凍化学液であり、温度を維持するか、快速に氷冷する使用目的に制限され、その他の用途がない。また、公知の氷冷カップは液体冷凍化学液を保冷媒質とするので、漏れを防止するため、適当な材質を選定し、多くの型を使用するので、製造コストが高く、工程が煩雑であり、現在の便利、多様化の趨勢に符合しない。
【考案の開示】
【考案が解決しようとする課題】
【０００３】
本考案の目的は、使用者が任意の方式で飲料を飲用することができ、構造が簡単で、使用が便利な熱冷飲料用容器を提供することにある。
【課題を解決するための手段】
【０００４】
本考案の熱冷飲料用容器は、容器蓋、内容器、及び、外容器からなり、内容器は外容器内部に設置することができ、内容器と外容器は相互に組設、脱離できる。内容器の容器体外部と外容器の間は容室を有して、水や好みの飲料を入れることができ、凍らせて結氷層にし、使用者が飲料を内容器内部に倒入して、味が薄まらないように冷飲料を飲むことが出来、また、結氷層は容器体形状の空間を形成し、使用者は飲料を容器体形状の結氷層に倒入して、結氷層を参合させ、冷飲料を飲用することができる。また、内容器と外容器間の容室は、お湯を加えて、内容器中の飲料を保温することもでき、使用者が任意の方式で飲料を飲用することができ、構造が簡単で、使用が便利である。
【考案の効果】
【０００５】
本考案の熱冷飲料用容器は、使用者が任意の方式で飲料を飲用することができ、構造が簡単で、使用が便利である。
【考案を実施するための最良の形態】
【０００６】
図１〜図５を参照すると、本考案は、容器蓋１、内容器２、及び、外容器３からなり、容器蓋１は公知のものと同じであるので、詳述しない。内容器２の唇蓋辺２１は容器体２２を有する。外容器３は、水４やその他の好みの物質（お茶、酒、果汁、ゼリー、氷等）を入れる以外に、内容器２を組設する（図２で示される）。内容器２が外容器３内部に容置され、容器体２２と外容器３の間に水４を充填し、水４を凍らせて結氷層４’を形成する（図３で示される）。使用者は飲料５を内容器２内部に入れて、氷冷し（図４で示される）、結氷層４’の水分が入ることなく冷たい飲料５を飲用することができる。また、使用者は、内容器２を外容器３から脱離させることができ、結氷層４’は容器体２２形状と相同の容置空間を有し、使用者は飲料５をこの容置空間に倒入し（図５で示される）、飲料５と結氷層４’を参合させることができ、使用者の好みの方法で、任意に飲用方式を変えることができる。
【０００７】
本考案の内容器２の唇蓋辺２１は、螺紋辺２１１を有し、外容器３は外螺紋段３２を環設する（図６、図７で示される）か、或いは、外容器３内面に数個の環螺紋、各種凹凸状、或いは、数段の鋸歯段３３を有し、内容器２の唇紋辺２１は外容器３の傾斜面３４に抵接し（図８、図９で示される）、よって、内容器２と外容器３は相互に組設、或いは、脱離することができる。
【０００８】
図１０、図１１を参照すると、本考案の内容器２の唇蓋辺２１は、環側辺２１２を垂設し、環側辺２１２の内面は一、或いは、複数の凸塊２１２１を凸設し、且つ、底面は外容器３頂部環面３１１と対応する凸環、或いは、底凸塊２１３を設置し、容器体２２の外部は滑らかな面であるので、内容器２と外容器３は組設、脱離できる。
【０００９】
図１２、図１３を参照すると、本考案の内容器２はV字型で、外容器３の内面の適当な位置に停止環辺３５を凸設し、内容器２と外容器３が相互に組設、脱離できる。
【００１０】
本考案の内容器２の唇蓋辺２１は、環側辺２１２を垂設し、環側辺２１２底部は一、或いは、複数の滑円凸塊２１５を設置し、外容器３の頂部環面３１１は傾斜状（図１４、図１５で示される）か、或いは、内容器２の唇蓋辺２１の環側辺２１２内に一、或いは、複数の円凸塊２６を凸設し、外容器３の外部は環凸体３６を設置し（図１６、図１７で示される）、よって、内容器２と外容器３が重畳し、相互に組設、脱離できる。
【００１１】
図１８、図１９を参照すると、本考案の内容器２は壷蓋体２９を有し、長い唇蓋辺２４が外容器３の壷嘴環面３１３に抵接し、短い唇蓋辺２４１は外容器３の短環面３７に抵接し、これにより、内容器２と外容器３は互いに組設、脱離できる。
【００１２】
図２０を参照すると、内容器２の容器体２２上方に外螺紋２３を有し、外容器３は対応する位置に内螺紋３８を有し、外螺紋２３と内螺紋３８の螺接により、内容器２と外容器３が組設、脱離できる。また、外容器３に保温功能を具備させ、内容器２が保温、保冷できる。
【００１３】
図２１を参照すると、内容器２の環辺２５は外螺段２６を有し、外容器３の螺段３９と係合し、外容器３は壷体３ａと壷嘴３ｂを有し、且つ、容置体３ｃを有して、飲料を入れ、容置体３ｃは外環体３ｄを有し、これにより、中に氷やお湯を入れて、容置体３ｃ内部の飲料５が氷冷、温熱できる。
【００１４】
図２２、図２３を参照すると、内容器２の唇蓋辺２１の環側辺２１２は外に一、或いは、それ以上の適当な長さの中空引体２１４を有し、内容器２と外容器３が組設、或いは、脱離できる。
【００１５】
上述から分かるように、本考案の内容器は外容器内部に設置し、容器体外部と外容器の内面間に、好みの物体（お茶、酒、果汁、ゼリー、氷等）を入れて、結氷層にする他、お湯を入れて保温できる容器にすることができる。本考案の内容器と外容器は各種異なる形状、紋様、色彩に製作でき、且つ、その材質は形状によって、ＰＰ、ＰＣ、ＰＳ、ＰＥ、ＰＶＣ、ＰＥＴ、ＰＬＡ、ＡＢＳ等の各種硬質、軟質、伸縮性、及び、弾性のあるプラスチック材質や、鉄、ステンレス、アルミ、セラミック、ガラス、発泡スチレン、紙質等の各種適当な材質、或いは、保温材質を採用する。また、本考案の内容器と外容器は形状構造、及び、材質により、使い捨て、或いは、重複使用型にすることができ、且つ、内容器、或いは、外容器外部の適当な位置に防滑機能を具備させたり、外容器外部の適当な位置に持ち手やベルトを設置して、握持や携帯を便利にする。
【図面の簡単な説明】
【００１６】
【図１】本考案の立体分解図である。
【図２】本考案の組み合わせ断面図１である。
【図３】本考案の組み合わせ断面図１である。
【図４】本考案の組み合わせ断面図１である。
【図５】本考案の容器蓋、内容器、外容器の脱離状態図である。
【図６】本考案の第二実施例の断面図である。
【図７】本考案の第二実施例の断面図である。
【図８】本考案の第三実施例の断面図である。
【図９】本考案の第三実施例の断面図である。
【図１０】本考案の第四実施例の断面図である。
【図１１】本考案の第四実施例の断面図である。
【図１２】本考案の第五実施例の断面図である。
【図１３】本考案の第五実施例の断面図である。
【図１４】本考案の第六実施例の断面図である。
【図１５】本考案の第六実施例の断面図である。
【図１６】本考案の第七実施例の断面図である。
【図１７】本考案の第七実施例の断面図である。
【図１８】本考案の第八実施例の断面図である。
【図１９】本考案の第八実施例の断面図である。
【図２０】本考案の第八実施例のもう一つの実施例断面図である。
【図２１】本考案の第九実施例の断面図である。
【図２２】本考案の第十実施例の断面図である。
【図２３】本考案の第十実施例の断面図である。
【符号の説明】
【００１７】
容器蓋１
内容器２
外容器３
壷体３ａ
壷嘴３ｂ
容置体３ｃ
外環体３ｄ
水４
結氷層４’
飲料５
唇蓋辺２１
容器体２２
外螺紋２３
長い唇蓋辺２４
環辺２５
円凸塊２６
壷蓋体２９
外螺紋段３２
鋸歯段３３
傾斜面３４
停止環辺３５
環凸体３６
短環面３７
内螺紋３８
螺段３９
螺紋辺２１１
環側辺２１２
底凸塊２１３
中空引体２１４
滑円凸塊２１５
短い唇蓋辺２４１
頂部環面３１１
壷嘴環面３１３
凸塊２１２１
【図１】
0003150760.tif 000003
【図２】
0003150760.tif 000004
【図３】
0003150760.tif 000005
【図４】
0003150760.tif 000006
【図５】
0003150760.tif 000007
【図６】
0003150760.tif 000008
【図７】
0003150760.tif 000009
【図８】
0003150760.tif 000010
【図９】
0003150760.tif 000011
【図１０】
0003150760.tif 000012
【図１１】
0003150760.tif 000013
【図１２】
0003150760.tif 000014
【図１３】
0003150760.tif 000015
【図１４】
0003150760.tif 000016
【図１５】
0003150760.tif 000017
【図１６】
0003150760.tif 000018
【図１７】
0003150760.tif 000019
【図１８】
0003150760.tif 000020
【図１９】
0003150760.tif 000021
【図２０】
0003150760.tif 000022
【図２１】
0003150760.tif 000023
【図２２】
0003150760.tif 000024
【図２３】
0003150760.tif 000025
【手続補正書】
【提出日】平成21年3月24日(2009.3.24)
【手続補正１】
【補正対象書類名】実用新案登録請求の範囲
【補正対象項目名】請求項２
【補正方法】変更
【補正の内容】
【請求項２】
熱冷飲料用容器であって、内容器と外容器とからなり、前記内容器と前記外容器は相互に組設でき、前記内容器と前記外容器の内面間は容室空間を有して、水を充填し、凍らせて結氷層とし、使用者は飲料を前記内容器に倒入して、氷で味が薄まらない冷飲料を飲用することができ、また、前記内容器と前記外容器は分離し、前記結氷層は一形状空間を有し、使用者は飲料を前記結氷層に倒入して、結氷層が参合した冷飲料を飲用することができ、よって、前記内容器と前記外容器の組設と脱離、及び、前記容室空間は、前記内容器と前記外容器の形状、大小によって決まることを特徴とする請求項１に記載の熱冷飲料用容器。